(57)【要約】      （修正有）【課題】ワンタッチで鼻緒に留めることができ、鼻緒を傷めることがなく、収納し易いワンタッチ履物留め具を提供する。【解決手段】ワンタッチ履物留め具１は、変形部材４と、この変形部材４を覆うカバー部材とから構成されている。変形部材４は、長手の薄板状であると共に、長手方向と直交する断面の中央が一方の面２側に隆起した第一形態、または、一方の面２側に外力が加えられて断面が扁平となることで、長手方向の端部５ａ，５ｂ同士が近接して突き合わされると共に、一方の面２側を内周面とする環状である第二形態に変形する。ワンタッチ履物留め具１は、第二形態で留部１１が両鼻緒１３に一重で巻き付けられ、このことによって履物１３がひとまとめとなる。【選択図】図３
0003212208.tif 000002
【実用新案登録請求の範囲】
【請求項１】
長手の薄板状であると共に長手方向と直交する断面の中央が一方の面側に隆起した第一形態、または、前記断面が扁平となることで、長手方向の端部同士が近接すると共に前記一方の面側を内周面とする環状となって一対の履物の両鼻緒に巻き付けられた第二形態に変形する変形部材と、
前記変形部材を覆うカバー部材と、から構成された、
ことを特徴とするワンタッチ履物留め具。
【請求項２】
前記カバー部材が前記変形部材よりも長く形成されたことで前記カバー部材の両端に取っ手部が形成され、
前記第二形態において前記変形部材の両端部が突き合わされると共に前記取っ手部同士が対面して他方の面側に張り出す、
ことを特徴とする請求項１に記載されたワンタッチ履物留め具。
【請求項３】
前記カバー部材が着物の生地である、
ことを特徴とする請求項１または請求項２に記載されたワンタッチ履物留め具。
【考案の詳細な説明】
【技術分野】
【０００１】
本考案は、例えば、履物をひとまとめにして留めることができるワンタッチ履物留め具に関するものである。
【背景技術】
【０００２】
従来、例えば、草履、サンダル、下駄、雪駄などの履物をひとまとめにして鼻緒を留める道具として、下記特許文献１に記載された飾り付き留具がある。この飾り付き留具は、いわゆる洗濯挟みに、装飾されたカバーが被せられたものである。使用者は、鼻緒を留める際、バネに抗して洗濯挟みを広げ、広げた状態を維持して鼻緒に配置し、洗濯挟みを解放する。飾り付き留具は、バネの復元力によって洗濯挟みが閉じ、鼻緒に留められる。
【先行技術文献】
【特許文献】
【０００３】
【特許文献１】登録実用新案第３０５９５３０号公報
【考案の概要】
【考案が解決しようとする課題】
【０００４】
しかし、従来の飾り付き留具は、上記したとおり、使用者は、バネに抗して洗濯挟みを広げ、広げた状態を維持して鼻緒に配置し、洗濯挟みを解放する必要があるため、ワンタッチで鼻緒に留めることができない。また、鼻緒は着物などの高価な生地で作られる場合があるところ、鼻緒が洗濯挟みで挟まれることで擦れ、生地を傷める場合がある。さらに、使用しない場合にバッグなどに収める際、洗濯挟みは形状が特異であるため、バッグに収納し辛い場合がある。
【０００５】
本考案は、上記した課題に鑑みて提案されたものである。すなわち、ワンタッチで鼻緒に留めることができ、鼻緒を傷めることがなく、収納し易いワンタッチ履物留め具を提供することを目的とする。
【課題を解決するための手段】
【０００６】
上記目的を達成するために、本考案に係るワンタッチ履物留め具は、長手の薄板状であると共に長手方向と直交する断面の中央が一方の面側に隆起した第一形態、または、前記断面が扁平となることで、長手方向の端部同士が近接すると共に前記一方の面側を内周面とする環状となって一対の履物の両鼻緒に巻き付けられた第二形態に変形する変形部材と、前記変形部材を覆うカバー部材と、から構成された、ことを特徴とする。
【０００７】
本考案に係るワンタッチ履物留め具は、前記カバー部材が前記変形部材よりも長く形成されたことで前記カバー部材の両端に取っ手部が形成され、前記第二形態において前記変形部材の両端部が突き合わされると共に前記取っ手部同士が対面して他方の面側に張り出す、ことを特徴とする。
【０００８】
本考案に係るワンタッチ履物留め具は、前記カバー部材が着物の生地である、ことを特徴とする。
【考案の効果】
【０００９】
本考案に係るワンタッチ履物留め具は、上記した構成である。この構成により、ワンタッチ履物留め具は、第一形態では直線状であるため、例えばバッグや着物の帯の内側などに収められる。したがって、容易に収納することができる。また、ワンタッチ履物留め具は、変形部材の断面を扁平にすることで第二形態に変形して鼻緒に巻き付けられるため、ワンタッチで鼻緒に留めることができる。また、第二形態では、鼻緒の周囲に巻き付けられるため、圧迫や過度の摩擦による鼻緒の損傷を防ぐことができる。
【００１０】
さらに、ワンタッチ履物留め具で履物がひとまとめとなることで、履物の持ち運びが容易となり、また、ワンタッチ履物留め具が、他の履物と区別するための目印となり、他の履物の取り間違いを防ぐことができる。
【００１１】
本考案に係るワンタッチ履物留め具は、カバー部材が変形部材よりも長く形成されたことでカバー部材の両端に取っ手部が形成され、第二形態において変形部材の両端部が突き合わされると共に取っ手部同士が対面して他方の面側に張り出す。すなわち、第二形態において取っ手部が形成されるため、使用者が取っ手部を把持することで履物をひとまとめで持ち運ぶことができる。
【００１２】
本考案に係るワンタッチ履物留め具は、カバー部材が着物の生地である。すなわち、意匠性が向上するため、他の履物と区別するための顕著な目印となり、他の履物の取り間違いを確実に防ぐことができる。また、カバー部材が使用者自身の着物であれば、愛着を深めることができる。
【図面の簡単な説明】
【００１３】
【図１】本考案の実施形態に係るワンタッチ履物留め具の外観が示され、（ａ）は第一形態の平面図、（ｂ）は（ａ）における第一形態のＡ−Ａ断面図、（ｃ）は第二形態の斜視図である。
【図２】本考案の実施形態に係るワンタッチ履物留め具の分解平面図である。
【図３】本考案の実施形態に係るワンタッチ履物留め具の使用状態が示され、（ａ）は取っ手部が露出した状態の外観斜視図、（ｂ）は取っ手部が隠れた状態の外観斜視図である。
【考案を実施するための形態】
【００１４】
以下、本考案の実施形態に係るワンタッチ履物留め具を図面に基づいて説明する。図１は、第一形態および第二形態のワンタッチ履物留め具１の外観がそれぞれ示されている。また、第一形態において、長手方向と直交する断面が示されている。なお、以下の説明では、図１（ａ）（ｂ）に示されている方位を、それぞれ長手方向、幅方向、厚み方向とする。
【００１５】
図１に示されているとおり、ワンタッチ履物留め具１は、ほぼ扁平な長方形の第一形態（図１（ａ）参照）、または、環状の第二形態（図１（ｃ）参照）に変形するものである。
【００１６】
ワンタッチ履物留め具１は、変形部材４と、この変形部材４を覆うカバー部材６とから構成され、第二形態において環状となる留部１１と、第二形態において外側に張り出す取っ手部７ａ，ｂとに区分される。留部１１は、カバー部材６で覆われた変形部材４によって構成され、一方、取っ手部７ａ，ｂは、カバー部材６のみによって構成されている。
【００１７】
詳説すれば、変形部材４は、例えば金属製であり、第一形態において、長手の薄板状であると共に、長手方向と直交する断面の中央が一方の面２側に隆起している。換言すれば、変形部材４の断面は、厚み方向において一方の面２側に向けて凸弧状に湾曲し、他方の面３側が凹弧状に反り返っている。この第一形態において、一方の面２側から外力が加えられて断面が扁平となることで、変形部材４は第二形態に変形する。変形部材４は、第二形態において、長手方向の端部５ａ，ｂ同士が近接して突き合わされると共に、一方の面２側を内周面とする一重の環状である。この第二形態において、端部５ａ，ｂ同士が離れる方向に外力が加えられて断面が湾曲することで、変形部材４は再び第一形態に変形する。
【００１８】
カバー部材６は、例えば、絹、麻、木綿、ウール、化学繊維などであり、特に着物の生地から構成されている。カバー部材６は、変形部材４よりも長く形成され、長手方向の両端において変形部材４よりも張り出した取っ手部７ａ，ｂが形成されている。各取っ手部７ａ，ｂは、内側に変形部材４が配置されていないため、自在に変形する。また各取っ手部７ａ，ｂは、他方の面３側に、それぞれ装飾部８が取り付けられている。なお、各取っ手部７ａ，ｂに磁石（図示省略）が収納されていてもよく、また、各取っ手部７ａ，ｂの一方の面２側にボタン（図示省略）が取り付けられていてもよい。
【００１９】
上記のとおりワンタッチ履物留め具１が構成されている。次に、ワンタッチ履物留め具１の作製手順を図２に基づいて説明する。図２は、ワンタッチ履物留め具１が分解された状態が示されている。
【００２０】
図２に示されているとおり、カバー部材６は、幅方向において変形部材４の二倍以上の大きさであり、一方の面２側において変形部材と対面する一方面部９ａと、他方の面３側において変形部材４と対面する他方面部９ｂとから構成されている。各面部９ａ，ｂの何れかの中央に変形部材４が配置され、変形部材４がカバー部材６に対面した状態で動かないように留められる。最後に各面部９ａ，ｂの端が縫合される。なお、各面部９ａ，ｂが一体として一枚の布で構成され、幅方向のほぼ中央である各面部９ａ，ｂの境界１０で折り畳まれて各面部９ａ，ｂの端が縫合される構成であってもよい。
【００２１】
上記のとおりワンタッチ履物留め具１が作製される。次に、ワンタッチ履物留め具１の使用方法を図面に基づいて説明する。図３は、ワンタッチ履物留め具１の使用状態が示されている。
【００２２】
図３（ａ）に示されているとおり、一対の履物１２が揃えて載置されている状態において、使用者は、第一状態のワンタッチ履物留め具１を両鼻緒１３の下側に潜らせた状態で、一方の面２側を両鼻緒１３と対面させ、一方の面２側を押す。ワンタッチ履物留め具１は、自動的に、変形部材４が扁平に変形すると同時に、変形部材４の長手方向の端部５ａ，ｂ同士が近接すると共に、留部１１が一方の面２側を内周面とする環状となって一重で両鼻緒１３に巻き付けられ、第二形態に変形する。その際、ワンタッチ履物留め具１と両鼻緒１３の周囲との間は、僅かに隙間が空いている。第二形態では、変形部材４の両端部５ａ，ｂ同士が突き合わされると共に、各取っ手部７ａ，ｂ同士が折れ曲がって対面し、各取っ手部７ａ，ｂ同士が合わさった状態で他方の面３側に張り出す。すなわち、各取っ手部７ａ，ｂは、両鼻緒１３から上方に向けて立ち上がっているため、使用者が把持し易い位置に配置される。
【００２３】
また、図３（ｂ）に示されているとおり、使用者は、第一状態のワンタッチ履物留め具１を両鼻緒１３の上側に近づけて一方の面２側を両鼻緒１３と対面させ、一方の面２側を押す。ワンタッチ履物留め具１は第二状態に変形し、各取っ手部７ａ，ｂ同士が合わさった状態で両鼻緒１３の下方に向けられる。すなわち、各取っ手部７ａ，ｂは、外部から視認し辛い位置に配置される。
【００２４】
なお、図３（ａ）に示された状態において、使用者が、鼻緒１３を軸としてワンタッチ履物留め具１を回転させることで、図３（ｂ）に示された状態としてもよい。また、図３（ｂ）に示された状態において、使用者が、鼻緒１３を軸としてワンタッチ履物留め具１を回転させることで、図３（ａ）に示された状態としてもよい。
【００２５】
上記のとおりワンタッチ履物留め具１が用いられる。次に、ワンタッチ履物留め具１の効果を説明する。
【００２６】
上記したとおり、第一形態において、長手の薄板状であると共に、長手方向と直交する断面の中央が一方の面２側に隆起し、この第一形態において、一方の面２側に外力が加えられて断面が扁平となることで、長手方向の端部５ａ，ｂ同士が近接して突き合わされると共に、一方の面２側を内周面とする環状である第二形態に変形する変形部材４と、この変形部材４を覆うカバー部材６とから、ワンタッチ履物留め具１が構成されている。この構成により、ワンタッチ履物留め具１は、第一形態では直線状であるため、例えばバッグや着物の帯の内側などに収められる。したがって、容易に収納することができる。また、留部１１を扁平にすることで鼻緒１３に巻き付けられるため、ワンタッチで鼻緒１３に留めることができる。また、第二形態では、鼻緒１３の周囲に一重で巻き付けられ、ワンタッチ履物留め具１と両鼻緒１３の周囲との間に隙間が空いているため、圧迫や過度の摩擦による鼻緒１３の損傷を防ぐことができる。
【００２７】
さらに、ワンタッチ履物留め具１で履物１２がひとまとめとなることで、履物１２の持ち運びが容易となり、また、ワンタッチ履物留め具１が、他の履物と区別するための目印となり、他の履物の取り間違いを防ぐことができる。
【００２８】
ワンタッチ履物留め具１は、カバー部材６が変形部材４よりも長く形成されたことでカバー部材６の両端に取っ手部７ａ，ｂが形成されている。この構成により、第二形態において変形部材４の両端部が突き合わされると共に、各取っ手部７ａ，ｂ同士が折れ曲がって対面し、各取っ手部７ａ，ｂ同士が合わさった状態で他方の面３側に張り出す。すなわち、各取っ手部７ａ，ｂは、両鼻緒１３から上方に向けて立ち上がっているため、使用者が各取っ手部７ａ，ｂを把持することで履物１２をひとまとめで持ち運ぶことができる。また、各取っ手部７ａ，ｂには、装飾部８が取り付けられているため、意匠性が向上する。さらに、装飾部８が滑り止めとなり、使用者が容易に各取っ手部７ａ，ｂを把持することができる。
【００２９】
一方、各取っ手部７ａ，ｂが両鼻緒１３の下方に向けられていれば、各取っ手部７ａ，ｂが隠れることで凹凸がなくなるため、洗練された外観を実現することができる。
【００３０】
さらに、各取っ手部７ａ，ｂに磁石が収納されていれば、磁力によって各取っ手部７ａ，ｂが引き寄せられ、確実に各取っ手部７ａ，ｂが合わさった状態とすることができる。また、各取っ手部７ａ，ｂにボタンが取り付けられていれば、ボタンをとめることで各取っ手部７ａ，ｂがずれることを防ぐことができる。
【００３１】
ワンタッチ履物留め具１は、カバー部材６が着物の生地である。すなわち、意匠性が向上し、さらに、他の履物と区別するための顕著な目印となり、他の履物の取り間違いを確実に防ぐことができる。また、カバー部材６が使用者自身の着物の生地であれば、愛着を深めることができる。
【００３２】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３３】
１                ワンタッチ履物留め具
２                一方の面
３                他方の面
４                変形部材
５ａ，ｂ          端部
６                カバー部材
７ａ，ｂ          取っ手部
８                装飾部
９ａ              一方面部
９ｂ              他方面部
１０              境界
１１              留部
１２              履物
１３              鼻緒
【図１】
0003212208.tif 000003
【図２】
0003212208.tif 000004
【図３】
0003212208.tif 000005